(57)【要約】【課題】  本発明は、屋外に設置する糠パック装置を備える精米設備において、設置場所の外気温度や外気湿度に対応することを課題とする。【解決手段】  精米機（１４）と、精米機（１４）の精米処理で発生した糠をパックして糠パック（Ｐ）を作成する糠パック装置（１６）と、外気温度センサ（４０）を備え、外気温度センサ（４０）が設定以下の外気温度を検出すると、糠パック（Ｐ）の作成を規制する。あるいは、外気温度センサ（４０）が設定以下の外気温度を検出すると、加温装置（４１）が糠パック装置（１６）の加温を行って糠パック（Ｐ）の作成を行えるようにする。【選択図】  図１１
2014188454.tif 000002
【特許請求の範囲】
【請求項１】
精米機と、精米機の精米処理で発生した糠をパックして糠パックを作成する糠パック装置と、外気温度センサを備え、
外気温度センサが設定以下の外気温度を検出すると、糠パックの作成を規制する制御部を設けることを特徴とする屋外型精米設備。
【請求項２】
精米機と、精米機の精米処理で発生した糠をパックして糠パックを作成する糠パック装置と、糠パック装置を加温する加温装置と、外気温度センサを備え、
外気温度センサが設定以下の外気温度を検出すると、加温装置が糠パック装置の加温を行うことを特徴とする屋外型精米設備。
【請求項３】
精米機と、精米機の精米処理で発生した糠をパックして糠パックを作成する糠パック装置と、外気湿度センサを備え、
外気湿度センサが設定以上の湿度を検出すると、糠パックの作成を規制する制御部を設けることを特徴とする屋外型精米設備。
【請求項４】
精米機と、精米機の精米処理で発生した糠をパックして糠パックを作成する糠パック装置と、糠パック装置で作成した糠パックを案内する案内部材と、該案内部材を加温する加温装置と、外気湿度センサを備え、外気湿度センサが設定以上の湿度を検出すると、加温装置が前記案内部材を加温することを特徴とする屋外型精米設備。
【発明の詳細な説明】
【技術分野】
【０００１】
本発明は、屋外に設置する有料の精米設備の精米運転で発生した糠をパック詰めして利用者に提供する技術に関する。
【背景技術】
【０００２】
特許文献１において、精米運転で発生した糠をパック詰めする技術が記載されている。
【先行技術文献】
【特許文献】
【０００３】
【特許文献１】特開２００６−８２０８４号公報
【発明の概要】
【発明が解決しようとする課題】
【０００４】
糠パックは、透明のフィルムを溶着して袋状に形成し、その中に精米運転で発生した糠を収容してパックする。
屋外型の精米設備では、気候や天候により装置各部の周囲の外気温度や湿度が変化する。
【０００５】
フィルムは外気温度が低いと溶着性能が低下し、糠パックの作成に支障をきたす場合がある。また、外気湿度が高いと、糠パックを案内する部材の上面が湿り、フィルムが上面に付着し易くなり、案内に支障をきたす場合がある。
【課題を解決するための手段】
【０００６】
本発明は、かかる課題を解決するために次のような技術的手段を講ずる。
請求項１記載の発明は、精米機（１４）と、精米機（１４）の精米処理で発生した糠をパックして糠パック（Ｐ）を作成する糠パック装置（１６）と、外気温度センサ（４０）を備え、外気温度センサ（４０）が設定以下の外気温度を検出すると、糠パック（Ｐ）の作成を規制する制御部（２６）を設けることを特徴とする屋外型精米設備とする。
【０００７】
請求項２記載の発明は、精米機（１４）と、精米機（１４）の精米処理で発生した糠をパックして糠パック（Ｐ）を作成する糠パック装置（１６）と、糠パック装置（１６）を加温する加温装置（４１）と、外気温度センサ（４１）を備え、外気温度センサ（４０）が設定以下の外気温度を検出すると、加温装置（４１）が糠パック装置（１６）の加温を行うことを特徴とする屋外型精米設備とする。
【０００８】
請求項３記載の発明は、精米機（１４）と、精米機（１４）の精米処理で発生した糠をパックして糠パック（Ｐ）を作成する糠パック装置（１６）と、外気湿度センサ（４３）を備え、外気湿度センサ（４３）が設定以上の湿度を検出すると、糠パック（Ｐ）の作成を規制する制御部（２６）を設けることを特徴とする屋外型精米設備とする。
【０００９】
請求項４記載の発明は、精米機（１４）と、精米機（１４）の精米処理で発生した糠をパックして糠パック（Ｐ）を作成する糠パック装置（１６）と、糠パック装置（１６）で作成した糠パック（Ｐ）を案内する案内部材（４２）と、該案内部材（４２）を加温する加温装置（４４）と、外気湿度センサ（４３）を備え、外気湿度センサ（４３）が設定以上の湿度を検出すると、加温装置（４４）が前記案内部材（４２）を加温することを特徴とする屋外型精米設備とする。
【発明の効果】
【００１０】
本願発明により、屋外に設置する糠パック装置を備える精米設備において、設置場所の外気温度や外気湿度に対応することができる。
【図面の簡単な説明】
【００１１】
【図１】精米設備の工程図
【図２】精米設備の平面図
【図３】客室の正面図
【図４】背面から見た機械室を示す図
【図５】糠パック装置を示す図
【図６】糠パックの作成を示す図
【図７】側面から見た糠パックの搬送を示す図
【図８】糠収容室を示す図
【図９】糠パックを有料に設定した時のフローチャート
【図１０】糠パックの作成の一例を示す工程図
【図１１】ブロック図
【発明を実施するための形態】
【００１２】
本発明の実施の形態の屋外型の精米設備について、以下説明する。
建屋１内を機械室２と客室３とに仕切壁５で仕切る。
客室３側には利用者が持参した穀物（玄米）を投入する投入ホッパ４の投入口４ａを臨ませる。また、仕切壁５の正面側には利用者用の操作盤６及び料金投入口２８を設ける。また、精米処理した精白米を収容する白米タンク７の取出口７ａと、後述する糠パックＰを収容する糠パック収容室８を設けている。
【００１３】
投入ホッパ４内には穀物の有無を検出する穀物有無検出センサ９を設け、投入ホッパ４の底部には穀物を繰り出すロータリバルブ１０を設けている。
機械室２内にはロータリバルブ１０で繰り出された穀物を揚穀する第一昇降機１１と、石抜き処理する石抜機１２と、石抜機１２で選別された穀物を揚穀する第二昇降機１３と、第二昇降機１３で揚穀された穀物を精米する精米機１４を備える。
【００１４】
また、機械室２内には精米機１４で精米処理され発生した糠を搬送する糠搬送ファン１５と、糠搬送ファン１５で搬送された糠をパック詰めする糠パック装置１６と、糠パック装置１６でパック詰めされた糠パックＰを客室３側へ搬送する糠パック搬送コンベア１７を備える。なお、糠搬送ファン１５で搬送された糠はサイクロン１８で空気と糠とに分離され、糠は糠パック装置１６か糠収容容器１９のいずれかに正逆転可能な糠搬送ラセンコンベア２０で搬送する構成である。
【００１５】
糠パック装置１６はロール状の透明のフィルムシート２１（ビニルシート）から切断具２２やフィルム溶着具２３で袋状とし、上部を開口して順次搬送される糠を受け、設定糠量になる頃を見計らってパック詰め処理し、パック詰めした糠パックＰを放出シュート２４で糠パック搬送コンベア１７に落下供給する構成としている。そして、糠パック搬送コンベア１７の搬送終端側には糠パックＰを糠パック収容室８内に案内する糠パック案内シュート４２を設けている。
【００１６】
本実施の形態では糠パック１袋につき、約１ｋｇ収容できる構成としている。
操作盤６には精白度を選択する精白度選択スイッチ２５を設ける。精白度スイッチは１分搗き・３分搗き・５分搗き・８分搗き・標準・上白・無洗米を選択可能に構成している。
【００１７】
操作盤６の裏側には機械室２内の各装置を駆動制御する制御部２６が内蔵されており、精米設備の管理者が任意に制御内容を設定可能に構成している。糠パックの作成を有料にするか無料にするかを選択する有料・無料選択スイッチ２９を操作盤６の裏側、すなわち管理者が操作する側に設けている。
【００１８】
客室３側には糠パック持ち帰り用スイッチ２７を設ける。本実施の形態の糠パック持ち帰り用スイッチ２７は糠をパック詰めして持ち帰ることを希望する利用者が操作すると糠パックＰが作成される構成である。
【００１９】
次に、精米運転について説明する。
利用者は、料金投入口２８へ料金を投入し、持参穀物を投入ホッパ４へ投入する。そして精白度選択スイッチ２５で所望の精白度を選択すると投入料金（例えば玄米１０ｋｇあたり１００円）に応じた運転時間、精米運転が開始される。
【００２０】
投入ホッパ４内の穀物はロータリバルブ１０で繰り出され、第一昇降機１１・石抜機１２・第二昇降機１３を通過し、精米機１４で精米処理され、白米タンク７に収容される。利用者は白米取出口７ａから白米を取り出す。
【００２１】
利用者が糠パック持ち帰り用スイッチ２７を操作している場合には、精米運転で発生した糠は糠搬送ファン１５で空気搬送され、サイクロン１８を通過し、糠搬送ラセンコンベア２０で糠パック装置１６側へ順次搬送され、設定糠量（糠１ｋｇ毎）毎に糠パックＰが作成される。作成された糠パックＰは放出シュート２４及び糠パック搬送コンベア１７で搬送され、客室３側に設ける糠パック収容室８内へ糠パック案内シュート４２で案内される。そして、利用者は糠パックＰを取り出して持ち帰る。
【００２２】
例えば、精白度を標準とした場合、玄米１０ｋｇにつき約１ｋｇの糠が発生する。すなわち、一回の運転で３０ｋｇの玄米を精米したら糠パックＰが３袋順次作成されることになる。
【００２３】
なお、発生する糠量はロータリバルブ１０の回転数で換算される玄米量と選択した精白度の関係から換算することが可能である。あるいは、設定した精白度と精米機１４による連続精米運転時間の関係から換算することも可能である。
【００２４】
糠の発生量は精白度によって異なる。すなわち、例えば精白度が標準なら玄米１０ｋｇにつき発生する糠量は約１ｋｇであるが、５分搗きの場合には玄米１０ｋｇにつき発生する糠量は約５００ｇである。本実施の形態の糠パックＰは１パックにつき、糠を約１ｋｇ収容できる構成としているため、糠をパックするタイミングは標準時よりも５分搗きの場合のほうがタイミングを長くしている。すなわち、標準の場合には玄米１０ｋｇの精米処理毎に糠パックＰを１袋作成することになるが、５分搗きの場合には２０ｋｇの精米処理毎に糠パックＰを１袋作成することになる。
【００２５】
利用者が糠パック持ち帰り用スイッチ２７を操作しない場合には、精米運転で発生した糠は糠搬送ファン１５で空気搬送され、サイクロン１８を通過し、糠搬送ラセンコンベア２０で糠収容容器１９へ収容される。
【００２６】
次に、管理者が糠パックＰの作成を有料に設定した場合の糠パックＰ作成の特徴について説明する。
利用者は、料金投入口２８へ料金を投入し、持参穀物を投入ホッパ４へ投入する。そして、糠パック持ち帰り用スイッチ２７を選択し、精白度選択スイッチ２５を選択すると精米運転が開始される。このとき、有料の場合には、投入料金から精米運転のための料金とは別に糠パックＰに要する料金が必要となる。本実施の形態の糠パックＰの料金は、糠パック１袋を作成する毎に差し引かれるのではなく、持参穀物量にかかわらず一回の精米運転につき特定の料金（例えば５０円）が必要となる構成としている。
【００２７】
例えば、玄米３０ｋｇを精米運転及び糠パックＰの作成をする場合には、精米運転が１０ｋｇにつき１００円で１回の精米運転での糠パックＰの料金が５０円となるので３５０円が必要である。玄米２０ｋｇの場合には２５０円となる。
【００２８】
糠パック持ち帰り用スイッチ２７は精米運転の開始前までに操作可能に構成し、精米運転開始後は糠パック持ち帰り用スイッチ２７の操作を規制する。有料の場合には、利用者の持参穀物から発生する全ての糠を利用者に提供するのが望ましいためである。
【００２９】
次に、管理者が糠パックＰの作成を無料に設定した場合の糠パックＰ作成の特徴について説明する。
無料の場合には、糠パック持ち帰り用スイッチ２７を精米運転開始後でも操作可能とする。但し、穀物有無検出センサ９が穀物無しを検出すると、糠パック持ち帰り用スイッチ２７の操作を規制する構成としている。穀物有無検出センサ９が穀物無しを検出した後では発生糠量が少なくなり、糠パックＰの充填量が少なくなり、糠パックＰの姿勢が安定せず、搬送し難くなるのを防止するためである。
【００３０】
次に、糠パックＰの作成を有料に設定した場合、無料に設定した場合のいずれにも共通する特徴について説明する。
糠パック持ち帰り用スイッチ２７を操作して糠パックＰを持ち帰ることのできる精白度を設定精白度以上とする。例えば、５分搗き以上は糠パックの作成を可能とし、５分搗き未満（３分搗き・１分搗き）は糠パックＰの作成を規制する。これは、前述に記載しているように、発生する糠量が少ないと、糠パックＰの充填量が少なくなり、糠パックＰの姿勢が安定せず、搬送し難くなるのを防止するためである。
【００３１】
具体的には、糠パック持ち帰り用スイッチ２７を選択すると設定精白度以上の精白度選択スイッチ２５を選択可能とし、それ以外の精白度選択スイッチ２５の選択を規制する。あるいは、持ち帰りのできない精白度の精白度選択スイッチ２５を選択すると糠パック持ち帰り用スイッチ２７の操作を規制する。
【００３２】
糠パックＰは精米運転中に設定間隔毎に作成され、糠パック搬送コンベア１７で搬送されるため、利用者が糠パック収容室８から取り出さないと糠パック収容室８が糠パックＰで詰ってしまう。そこで、糠パックＰを作成毎に、利用者に音声で「糠パックを取り出して下さい」との報知を行う。
【００３３】
糠パック収容室８はスペースに限りがあるため、本実施の形態では連続して糠パックＰを作成できるのを３袋までに設定している。通常、利用者は１回の精米運転で持参する穀物量は３０ｋｇ前後であることが多いためである。
【００３４】
図９のフローチャートは糠パックの作成を有料時の精米運転を示しているが、無料についても略共通しており、相違点は精米運転開始後以降でも穀物有無検出センサ９が穀物無しを検出するまでは、糠パック持ち帰り用のスイッチの操作が可能であるという点である。
【００３５】
穀物有無検出センサ９が穀物の無しを検出した後の糠パックＰの作成について図１０に基づいて説明する。
精米運転中に穀物有無検出センサ９が穀物無しを検出すると、第一昇降機１１から精米機１４までに残留している穀物量及び発生する糠量を換算する。
【００３６】
そして、作成途中の糠パックＰ２と最後に作成する糠パックＰ３の双方に、糠パックにするのに最低必要な糠量を収容できるように糠パック詰めのタイミングを制御する。
糠パックを作成するのに最低必要な糠量とは、前述の糠パックＰを安定した姿勢で円滑に搬送するため（糠パックＰの搬送不良防止）の糠量であり、本実施の形態の糠袋は例えば４００ｇ以上の糠を充填する必要があるとしている。
【００３７】
標準で精米運転中に、作成途中の糠パックＰ２に２００ｇ収容されていると換算し、残留している玄米量が１０ｋｇと換算した場合に、玄米５ｋｇ分の糠（５００ｇ）は現在作成中の糠パックＰ２に収容することで７００ｇの糠パックＰ２を作成し、残りの玄米５ｋｇ分の糠（５００ｇ）は最後の糠パックＰ３に収容して５００ｇの糠パックＰ３を作成する。すなわち、残留する玄米を適宜按分した分の糠を作成中の糠パックＰ２と最後の糠パックＰ３にそれぞれ供給して糠パックＰを作成する。
【００３８】
このように、作成途中の糠パックＰ２内に残留する玄米から発生する糠を収容できないと判定した場合には、作成途中の糠パックＰ２と最後の糠パックＰ３それぞれがいずれも最低必要な充填量を得るように制御するものである。
【００３９】
精米設備を設置している場所の外気温度や外気湿度に応じた糠パック作成について説明する。
まず、外気温度について説明する。
【００４０】
冬場等に外気温度が低いとフィルムの溶着がし難くなり、糠を充填した糠パックが破れて糠が散乱する場合が生じる。そこで、機械室２内に外気温度センサ４０を設け、外気温度センサ４０が設定温度以下（例えば５℃）を検出すると、利用者が糠パック持ち帰り用スイッチ２７を選択しても糠パック装置１６による糠パックＰの作成を規制するよう構成する。具体的には音声で利用者に「外気温度が低いので糠パックを作成致しません」と報知する。この場合には、精米運転で発生した糠は糠搬送ファン１５で空気搬送され、サイクロン１８を通過し、糠搬送ラセンコンベア２０で糠収容容器１９へ収容される。
【００４１】
あるいは、糠パック装置１６の内部（近傍でも良い）に糠パック装置用の加温装置４１を設け、外気温度センサ４０が設定温度以下（５℃）を検出すると糠パック装置用の加温装置４１が作動を開始し、糠パック装置１６の周囲の温度を上昇させることで、利用者が糠パック持ち帰り用スイッチ２７を選択すると糠パックＰの作成をする構成にしても良い。
【００４２】
別の構成として、外気温度が設定温度以下（例えば−５℃）の場合には、糠パック装置１６による糠パックＰの作成を規制し、外気温度が設定温度範囲（例えば５℃以下〜−５℃未満）の場合には加温装置４１を作動させて糠パックＰの作成を行うことができる構成にしても良い。すなわち、精米運転が可能とされるマイナス５℃を上回る気温の場合には、加温装置４１を作動させることで糠パックＰの作成を可能にして利用者の要望に対応することを可能とすると共に、精米運転が困難になるマイナス５℃を下回る極寒冷状態では糠パックの作成を規制するものである。
【００４３】
次に、外気湿度について説明する。
外気湿度が高いと糠パックＰを案内する糠パック案内シュート４２の表面に湿気が生じ、糠パックＰがシュートの表面に付着して糠パック収容室８内に円滑に落下供給できない場合が生じる。機械室２内に外気湿度センサ４３を設け、設定以上の外気湿度（例えば９５％以上）を利用者が糠パック持ち帰り用スイッチ２７を選択しても糠パック装置１６による糠パックＰの作成を規制するよう構成する。具体的には音声で利用者に「外気湿度が高いので糠パックを作成致しません」と報知する。この場合には、精米運転で発生した糠は糠搬送ファン１５で空気搬送され、サイクロン１８を通過し、糠搬送ラセンコンベア２０で糠収容容器１９へ収容される。
【００４４】
あるいは、糠パック案内シュート４２の近傍に加温装置４４を設け、外気湿度センサ４３が設定湿度（９５℃以上）を検出すると糠パック案内シュート４２用の加温装置４４が作動を開始し、糠パック案内シュート４２の案内面の湿気を除去することで、利用者が糠パック持ち帰り用スイッチ２７を選択すると糠パックＰの作成をする構成にしても良い。
【００４５】
あるいは、設定範囲の湿度（８５％〜９５％未満）の場合に加温装置４４を作動させ、設定以上の湿度（９５％以上）の場合には糠パックＰの作成を規制する構成としても良い。
【００４６】
外気湿度が高いと放出シュート２４の表面も湿気が生じて糠パックＰが放出し難くなる場合がある。この場合に、糠パック装置用の加温装置４１により加温してシュート表面の湿気を除去する構成としても良い。
【００４７】
糠パック装置１６用の加温装置４１又は加温装置４４はヒータでも良いし、温風を供給するタイプのいずれでも良い。
外気温度や外気湿度に応じて糠パックＰの作成を規制するか否かは、予め精米設備の管理者が制御部２６に手動で入力できる構成にしても良い。
【符号の説明】
【００４８】
１４  精米機
１６  糠パック装置
２５  精白度選択スイッチ
２６  制御部
２７  糠パック持ち帰り用スイッチ
Ｐ    糠パック
４０  外気温度センサ
４１  糠パック装置１６用の加温装置
４２  糠パック案内シュート
４３  外気湿度センサ
４４  加温装置
【図１】
2014188454.tif 000003
【図２】
2014188454.tif 000004
【図３】
2014188454.tif 000005
【図４】
2014188454.tif 000006
【図５】
2014188454.tif 000007
【図６】
2014188454.tif 000008
【図７】
2014188454.tif 000009
【図８】
2014188454.tif 000010
【図９】
2014188454.tif 000011
【図１０】
2014188454.tif 000012
【図１１】
2014188454.tif 000013